(57)【要約】【課題】回転するギヤ以外のギヤと駆動ギヤとの噛み合いを外すことを目的とする。【解決手段】現像カートリッジ１は、内部にトナーを収容可能な筐体１１と、軸方向に延びる現像ローラ１２と、現像ローラ１２と電気的に接続された現像電極２０と、ギヤ（アジテータギヤ３１）と噛み合うラックギヤ５０であって、突起（５３，５４）を有するラックギヤ５０と、第１位置から、軸方向において第１位置よりも筐体１１から離れた第２位置に移動可能なカム７０を備える。カム７０は、第１位置おいて突起と接触する第１カム面７３Ａと、カム７０が第１位置から第２位置に移動するときに、現像電極２０と接触しつつ移動することで、現像電極２０をカム７０から離れる方向に移動する第２カム面７６Ａを有する。【選択図】図７
2018109655.tif 000002
【特許請求の範囲】
【請求項１】
内部にトナーを収容可能な筐体と、
軸方向に延びる第１軸について回転可能な現像ローラであって、前記筐体の一端に位置する現像ローラと、
前記現像ローラと電気的に接続された現像電極と、
前記第１軸に沿う第２軸について回転可能なギヤと、
前記ギヤと噛み合うラックギヤであって、前記筐体の一端から前記一端とは反対の他端に向かって移動可能なラックギヤであって、突起を有するラックギヤと、
第１位置から、前記軸方向において前記第１位置よりも前記筐体から離れた第２位置に移動可能なカムであって、
前記第１位置おいて前記突起と接触する第１カム面であって、前記突起と接触した状態で前記ラックギヤが前記一端から前記他端に向かって移動することで前記カムを前記第２位置に向けて移動する第１カム面と、
前記カムが第１位置から第２位置に移動するときに、前記現像電極と接触しつつ移動することで、前記ラックギヤの移動方向および前記カムの移動方向とは異なる方向において、前記現像電極を前記カムから離れる方向に移動する第２カム面と、を有するカムと、を備えることを特徴とする現像カートリッジ。
【請求項２】
前記現像電極と前記現像ローラとを電気的に接続するためのバネを備えることを特徴とする請求項１に記載の現像カートリッジ。
【請求項３】
前記現像ローラを支持する軸受を備え、
前記バネの一端は、前記現像電極と接触し、
前記バネの前記一端とは反対の他端は、前記軸受と接触していることを特徴とする請求項２に記載の現像カートリッジ。
【請求項４】
前記バネは、前記バネの一端が前記現像電極と接触し、かつ、前記バネの他端が前記軸受と接触した状態において、自然長よりも短いことを特徴とする請求項３に記載の現像カートリッジ。
【請求項５】
前記軸受は、導電性樹脂によって形成されていることを特徴とする請求項３または請求項４に記載の現像カートリッジ。
【請求項６】
前記現像電極は、導電性樹脂によって形成されていることを特徴とする請求項１から請求項５のいずれか１項に記載の現像カートリッジ。
【請求項７】
前記第１カム面は、
第１端部と、
前記軸方向において前記第１端部よりも前記筐体から離れた位置にある第２端部と、を有し、
前記第１カム面は、前記第１端部が前記第２端部よりも前記ラックギヤの移動方向下流に位置するように傾斜していることを特徴とする請求項１から請求項６のいずれか１項に記載の現像カートリッジ。
【請求項８】
前記カムは、前記ラックギヤの移動方向において前記第１カム面の下流に配置される第３カム面であって、前記カムが前記第２位置に位置するときに前記突起と接触する第３カム面を有し、
前記第３カム面は、前記突起と接触した状態で前記ラックギヤが移動することで、前記カムを前記第２位置から前記第１位置に向けて移動することを特徴とする請求項１から請求項７のいずれか１項に記載の現像カートリッジ。
【請求項９】
前記第３カム面は、
第３端部と、
前記軸方向において前記第３端部よりも前記筐体から離れた位置にある第４端部と、を有し、
前記第３カム面は、前記第４端部が前記第３端部よりも前記ラックギヤの移動方向下流に位置するように傾斜していることを特徴とする請求項８に記載の現像カートリッジ。
【請求項１０】
前記第１カム面は、前記カムの移動方向において前記第３カム面とは異なる位置に配置されていることを特徴とする請求項８または請求項９に記載の現像カートリッジ。
【請求項１１】
前記筐体の内部のトナーを攪拌するアジテータと、
前記アジテータの端部に支持され、前記アジテータとともに回転可能なアジテータギヤと、を備え、
前記アジテータギヤは、前記ギヤであることを特徴とする請求項１から請求項１０のいずれか１項に記載の現像カートリッジ。
【請求項１２】
前記筐体を挟んで前記現像電極の反対側に配置されるカップリングを有することを特徴とする請求項１から請求項１１のいずれか１項に記載の現像カートリッジ。
【請求項１３】
前記現像電極は、前記第２カム面と接触し、前記第２カム面に沿って延びる第４カム面を有することを特徴とする請求項１から請求項１２のいずれか１項に記載の現像カートリッジ。
【請求項１４】
前記ラックギヤは、当該ラックギヤの移動方向に延びる板状の本体部と、前記ギヤと噛み合う複数のギヤ歯と、を有し、
前記複数のギヤ歯と前記突起とは、前記本体部から突出し、前記ラックギヤの移動方向において異なる位置に配置されていることを特徴とする請求項１から請求項１３のいずれか１項に記載の現像カートリッジ。
【請求項１５】
前記突起は、前記軸方向において、前記複数のギヤ歯と異なる位置に配置されていることを特徴とする請求項１から請求項１４のいずれか１項に記載の現像カートリッジ。
【請求項１６】
前記第２カム面は、第５端部と、前記軸方向において前記第５端部よりも前記筐体から離れた第６端部とを有し、前記第６端部から前記第５端部に向かうにつれて前記現像電極に向かって突出するように傾斜することを特徴とする請求項１から請求項１５のいずれか１項に記載の現像カートリッジ。
【請求項１７】
内部にトナーを収容する筐体と、
軸方向に延びる第１軸について回転可能な現像ローラであって、前記筐体の一端に位置する現像ローラと、
前記軸方向に延びる第２軸について回転可能なギヤと、
前記現像ローラと電気的に接続された現像電極と、
前記一端から前記一端とは反対の他端に向かって移動可能なラックギヤであって、前記ギヤと噛み合い前記ギヤが回転することで前記一端から前記他端に向って移動可能なラックギヤであって、突起を有するラックギヤと、
前記ラックギヤの少なくとも一部を覆うカバーであって、前記現像電極を露出する開口を有するカバーと、
第１位置と、前記第１位置よりも前記軸方向において前記筐体から離れた第２位置に移動可能なカムであって、
第１端部と、前記軸方向において前記第１端部よりも前記筐体から離れた第２端部とを有する第１カム面であって、前記第１端部が前記第２端部よりも前記突起の移動方向下流に位置するように傾斜する第１カム面であって、前記突起と係合することで前記第１位置から前記突起の移動軌跡外である前記第２位置に移動可能な第１カム面と、
前記第１カム面とともに移動可能な第２カム面であって、前記軸方向において前記第１カム面よりも前記筐体から離れた位置に配置される第２カム面であって、前記現像電極と接触しつつ移動可能な第２カム面であって、第５端部と、前記軸方向において前記第５端部よりも前記筐体から離れた第６端部とを有する第２カム面であって、前記第６端部から前記第５端部に向かうにつれて前記開口に向かって突出するように傾斜する第２カム面と、を有するカムと、を有することを特徴とする現像カートリッジ。
【請求項１８】
前記現像電極と前記現像ローラとを電気的に接続するためのバネを備えることを特徴とする請求項１７に記載の現像カートリッジ。
【請求項１９】
前記カムは、前記ラックギヤの移動方向において前記第１カム面の下流に配置される第３カム面であって、前記カムが前記第２位置に位置するときに前記突起の移動軌跡上に配置される第３カム面を有し、
前記第３カム面は、
第３端部と、
前記軸方向において前記第３端部よりも前記筐体から離れた位置にある第４端部と、を有し、
前記第３カム面は、前記第４端部が前記第３端部よりも前記ラックギヤの移動方向下流に位置するように傾斜している請求項１７または請求項１８に記載の現像カートリッジ。
【請求項２０】
内部にトナーを収容する筐体と、
軸方向に延びる第１軸について回転可能な現像ローラであって、前記筐体の一端に位置する現像ローラと、
前記軸方向に沿う第２軸について回転可能なギヤと、
前記ギヤと噛み合うラックギヤであって、前記筐体の一端から前記一端とは反対の他端に向かって移動可能なラックギヤと、
第１位置から、前記軸方向において前記第１位置よりも前記筐体から離れた第２位置に移動可能なカムであって、突起を有するカムと、
前記カムを前記第１位置から前記第２位置に向けて付勢するバネと、
開口を有するカバーと、
前記現像ローラと電気的に接続された現像電極であって、前記カムとともに移動可能な現像電極であって、第５端部と、前記軸方向において前記第５端部よりも前記筐体から離れた第６端部とを有する第２カム面であって、前記第６端部から前記第５端部に向かうにつれて前記開口に向かって突出するように傾斜する第２カム面を有する現像電極と、を備え、
前記ラックギヤは、前記突起と接触して前記カムを前記第１位置に保持する第１保持面と、前記突起と接触して前記カムを前記第２位置に保持する第２保持面とを有することを特徴とする現像カートリッジ。
【請求項２１】
前記現像電極は、前記バネと一体に形成されていることを特徴とする請求項２０に記載の現像カートリッジ。
【発明の詳細な説明】
【技術分野】
【０００１】
本発明は、現像ローラを備える現像カートリッジに関する。
【背景技術】
【０００２】
従来、現像カートリッジとして、画像形成装置の本体筐体に配置されるアクチュエータを動かすための検知突起を備えたものが知られている（特許文献１参照）。具体的に、この技術では、検知突起は、ギヤを有し、シャフトの周囲を回転可能となっており、回転中にアクチュエータを押すことでアクチュエータを動作させている。また、ギヤは、欠け歯部を有する。欠け歯部と、ギヤに駆動力を伝える駆動ギヤとが向かい合うことにより、ギヤと駆動ギヤの噛み合いが外れる。これにより、ギヤの回転が止まる。ギヤの回転が止まると、検知突起の回転も止まる。
【先行技術文献】
【特許文献】
【０００３】
【特許文献１】特開２０１３−５４０５３号公報
【発明の概要】
【発明が解決しようとする課題】
【０００４】
ところで、上記の現像カートリッジにおいて、回転するギヤ以外のギヤと駆動ギヤとの噛み合いを外す構成が望まれていた。
【０００５】
そこで、本発明は、回転するギヤ以外のギヤと駆動ギヤとの噛み合いを外すことができる現像カートリッジを提供することを目的とする。
【課題を解決するための手段】
【０００６】
前記課題を解決するため、本発明に係る現像カートリッジは、内部にトナーを収容可能な筐体と、軸方向に延びる第１軸について回転可能な現像ローラであって、前記筐体の一端に位置する現像ローラと、前記現像ローラと電気的に接続された現像電極と、前記第１軸に沿う第２軸について回転可能なギヤと、前記ギヤと噛み合うラックギヤであって、前記筐体の一端から前記一端とは反対の他端に向かって移動可能なラックギヤであって、突起を有するラックギヤと、第１位置から、前記軸方向において前記第１位置よりも前記筐体から離れた第２位置に移動可能なカムと、を備える。
前記カムは、前記第１位置おいて前記突起と接触する第１カム面であって、前記突起と接触した状態で前記ラックギヤが前記一端から前記他端に向かって移動することで前記カムを前記第２位置に向けて移動する第１カム面と、前記カムが第１位置から第２位置に移動するときに、前記現像電極と接触しつつ移動することで、前記ラックギヤの移動方向および前記カムの移動方向とは異なる方向において、前記現像電極を前記カムから離れる方向に移動する第２カム面と、を有する。
【０００７】
この構成によれば、ラックギヤが筐体の一端から他端に向けて移動することで、ラックギヤとギヤとの噛み合いを外すことができる。
【０００８】
また、前記現像カートリッジは、前記現像電極と前記現像ローラとを電気的に接続するためのバネを備えていてもよい。
【０００９】
また、前記現像カートリッジは、前記現像ローラを支持する軸受を備え、前記バネの一端は、前記現像電極と接触し、前記バネの前記一端とは反対の他端は、前記軸受と接触していてもよい。
【００１０】
また、前記バネは、前記バネの一端が前記現像電極と接触し、かつ、前記バネの他端が前記軸受と接触した状態において、自然長よりも短くてもよい。
【００１１】
また、前記軸受は、導電性樹脂によって形成されていてもよい。
【００１２】
また、前記現像電極は、導電性樹脂によって形成されていてもよい。
【００１３】
また、前記第１カム面は、第１端部と、前記軸方向において前記第１端部よりも前記筐体から離れた位置にある第２端部と、を有し、前記第１カム面は、前記第１端部が前記第２端部よりも前記ラックギヤの移動方向下流に位置するように傾斜していてもよい。
【００１４】
また、前記カムは、前記ラックギヤの移動方向において前記第１カム面の下流に配置される第３カム面であって、前記カムが前記第２位置に位置するときに前記突起と接触する第３カム面を有し、前記第３カム面は、前記突起と接触した状態で前記ラックギヤが移動することで、前記カムを前記第２位置から前記第１位置に向けて移動させてもよい。
【００１５】
また、前記第３カム面は、第３端部と、前記軸方向において前記第３端部よりも前記筐体から離れた位置にある第４端部と、を有し、前記第３カム面は、前記第４端部が前記第３端部よりも前記ラックギヤの移動方向下流に位置するように傾斜していてもよい。
【００１６】
また、前記第１カム面は、前記カムの移動方向において前記第３カム面とは異なる位置に配置されていてもよい。
【００１７】
また、前記現像カートリッジは、前記筐体の内部のトナーを攪拌するアジテータと、前記アジテータの端部に支持され、前記アジテータとともに回転可能なアジテータギヤと、を備え、前記アジテータギヤは、前記ギヤであってもよい。
【００１８】
また、前記現像カートリッジは、前記筐体を挟んで前記現像電極の反対側に配置されるカップリングを有していてもよい。
【００１９】
また、前記現像電極は、前記第２カム面と接触し、前記第２カム面に沿って延びる第４カム面を有していてもよい。
【００２０】
また、前記ラックギヤは、当該ラックギヤの移動方向に延びる板状の本体部と、前記ギヤと噛み合う複数のギヤ歯と、を有し、前記複数のギヤ歯と前記突起とは、前記本体部から突出し、前記ラックギヤの移動方向において異なる位置に配置されていてもよい。
【００２１】
また、前記突起は、前記軸方向において、前記複数のギヤ歯と異なる位置に配置されていてもよい。
【００２２】
また、前記第２カム面は、第５端部と、前記軸方向において前記第５端部よりも前記筐体から離れた第６端部とを有し、前記第６端部から前記第５端部に向かうにつれて前記現像電極に向かって突出するように傾斜していてもよい。
【００２３】
また、本発明に係る現像カートリッジは、内部にトナーを収容する筐体と、軸方向に延びる第１軸について回転可能な現像ローラであって、前記筐体の一端に位置する現像ローラと、前記軸方向に延びる第２軸について回転可能なギヤと、前記現像ローラと電気的に接続された現像電極と、前記一端から前記一端とは反対の他端に向かって移動可能なラックギヤであって、前記ギヤと噛み合い前記ギヤが回転することで前記一端から前記他端に向って移動可能なラックギヤであって、突起を有するラックギヤと、前記ラックギヤの少なくとも一部を覆うカバーであって、前記現像電極を露出する開口を有するカバーと、第１位置と、前記第１位置よりも前記軸方向において前記筐体から離れた第２位置に移動可能なカムを、を有する。
前記カムは、第１端部と、前記軸方向において前記第１端部よりも前記筐体から離れた第２端部とを有する第１カム面であって、前記第１端部が前記第２端部よりも前記突起の移動方向下流に位置するように傾斜する第１カム面であって、前記突起と係合することで前記第１位置から前記突起の移動軌跡外である前記第２位置に移動可能な第１カム面と、前記第１カム面とともに移動可能な第２カム面であって、前記軸方向において前記第１カム面よりも前記筐体から離れた位置に配置される第２カム面であって、前記現像電極と接触しつつ移動可能な第２カム面であって、第５端部と、前記軸方向において前記第５端部よりも前記筐体から離れた第６端部とを有する第２カム面であって、前記第６端部から前記第５端部に向かうにつれて前記開口に向かって突出するように傾斜する第２カム面と、を有する。
【００２４】
この構造によれば、ラックギヤが筐体の一端から他端に向けて移動することで、ラックギヤとギヤとの噛み合いを外すことができる。
【００２５】
また、前記現像カートリッジは、前記現像電極と前記現像ローラとを電気的に接続するためのバネを備えていてもよい。
【００２６】
また、前記カムは、前記ラックギヤの移動方向において前記第１カム面の下流に配置される第３カム面であって、前記カムが前記第２位置に位置するときに前記突起の移動軌跡上に配置される第３カム面を有し、前記第３カム面は、第３端部と、前記軸方向において前記第３端部よりも前記筐体から離れた位置にある第４端部と、を有し、前記第３カム面は、前記第４端部が前記第３端部よりも前記ラックギヤの移動方向下流に位置するように傾斜していてもよい。
【００２７】
また、本発明に係る現像カートリッジは、内部にトナーを収容する筐体と、軸方向に延びる第１軸について回転可能な現像ローラであって、前記筐体の一端に位置する現像ローラと、前記軸方向に沿う第２軸について回転可能なギヤと、前記ギヤと噛み合うラックギヤであって、前記筐体の一端から前記一端とは反対に他端に向かって移動可能なラックギヤと、第１位置から、前記軸方向において前記第１位置よりも前記筐体から離れた第２位置に移動可能なカムであって、突起を有するカムと、前記カムを前記第１位置から前記第２位置に向けて付勢するバネと、開口を有するカバーと、前記現像ローラと電気的に接続された現像電極であって、前記カムとともに移動可能な現像電極であって、第５端部と、前記軸方向において前記第５端部よりも前記筐体から離れた第６端部とを有する第２カム面であって、前記第６端部から前記第５端部に向かうにつれて前記開口に向かって突出するように傾斜する第２カム面を有する現像電極と、を備える。
前記ラックギヤは、前記突起と接触して前記カムを前記第１位置に保持する第１保持面と、前記突起と接触して前記カムを前記第２位置に保持する第２保持面とを有する。
【００２８】
この構造によれば、ラックギヤが筐体の一端から他端に向けて移動することで、ラックギヤとギヤとの噛み合いを外すことができる。
【００２９】
また、前記現像電極は、前記バネと一体に形成されていてもよい。
【発明の効果】
【００３０】
本発明によれば、回転するギヤ以外のギヤと駆動ギヤとの噛み合いを外すことができる。
【図面の簡単な説明】
【００３１】
【図１】第１の実施形態に係る現像カートリッジを軸方向の一端側から見た斜視図である。
【図２】現像カートリッジを軸方向の他端側から見た斜視図である。
【図３】現像カートリッジの他端側の部品を分解して示す斜視図である。
【図４】ラックギヤをラックギヤ部側から見た斜視図である。
【図５】ギヤカバーとその内部の部品を示す分解斜視図である。
【図６】カムを示す斜視図である。
【図７】現像カートリッジの他端側の構造をギヤカバーを外した状態で示す斜視図である。
【図８】ラックギヤとカムの係合部分を上下方向に直交する面で切った断面図であって、ラックギヤおよびカムの動作を示す断面図（ａ）〜（ｄ）である。
【図９】ラックギヤ、カムおよび現像電極を、筐体の一端から他端に向かう方向に直交する面で切った断面図であって、ラックギヤ、カムおよび現像電極の動作を示す断面図（ａ），（ｂ）である。
【図１０】第２の実施形態に係る現像カートリッジの他端側の構造をギヤカバーを外した状態で示す斜視図である。
【図１１】第２の実施形態に係る各部品を示す斜視図であって、ギヤカバーとその内部の部品を示す分解斜視図（ａ）と、ラックギヤをラックギヤ部側から見た斜視図である。
【図１２】第２の実施形態に係るラックギヤとカムの係合部分を上下方向に直交する面で切った断面図であって、ラックギヤおよびカムの動作を示す断面図（ａ）〜（ｄ）である。
【図１３】第２の実施形態に係るラックギヤ、カムおよびバネ電極を、に直交する面で切った断面図であって、ラックギヤ、カムおよびバネ電極の動作を示す断面図（ａ），（ｂ）である。
【発明を実施するための形態】
【００３２】
［第１の実施形態］
次に、本発明の第１の実施形態について、適宜図面を参照しながら詳細に説明する。
図１に示すように、現像カートリッジ１は、筐体１１と、現像ローラ１２と、供給ローラ１５（図３参照）と、アジテータ１４と、カップリング１３とを主に備えている。筐体１１は、内部にトナーを収容している。なお、以下の説明では、現像ローラ１２の軸方向を、単に「軸方向」とも称する。
【００３３】
現像ローラ１２は、図示せぬ感光体に形成される静電潜像に対してトナーを供給するローラである。現像ローラ１２は、軸方向に延びる第１軸Ｘ１について回転可能となっている。現像ローラ１２は、軸方向に延びるシャフト１２Ａを有している。現像ローラ１２は、シャフト１２Ａから後述するアジテータ１４の軸１４Ａに向かう方向において、筐体１１の一端Ｅ１０に位置している。
【００３４】
供給ローラ１５は、現像ローラ１２にトナーを供給するローラである。アジテータ１４は、筐体１１の内部のトナーを攪拌するための部材である。
【００３５】
カップリング１３は、外部から駆動力を受ける部材である。詳しくは、図示せぬ画像形成装置の本体筐体に設けられた進退可能な入力部材が、前進してカップリング１３内に入ってカップリング１３と回転方向で係合することで、入力部材からカップリング１３に駆動力が入力される。そして、カップリング１３に入力された駆動力は、図示せぬギヤ機構を介して現像ローラ１２に伝達されるとともに、供給ローラ１５およびアジテータ１４に伝達される。
【００３６】
カップリング１３は、筐体１１の軸方向の一端側に設けられている。言い換えると、カップリング１３は、筐体１１を挟んで後述する現像電極２０とは反対側に配置されている。つまり、カップリング１３は、筐体１１の現像電極２０が配置される側壁とは反対側の側壁に設けられている。
【００３７】
図２に示すように、筐体１１の軸方向の他端側には、本体筐体に設けられたアクチュエータＡＣを動かすための現像電極２０が設けられている。アクチュエータＡＣは、本体筐体に回動可能に設けられている。アクチュエータＡＣは、導電性の部材からなっている。本体筐体は、アクチュエータＡＣに電力を供給する電力供給部と、アクチュエータＡＣの回動を検知するための光センサとを備えている。
【００３８】
現像電極２０は、カップリング１３に入力された駆動力がギヤ機構やアジテータ１４（図１参照）等を介して伝達されることで、軸方向に直交する直交方向、詳しくは、アクチュエータＡＣを持ち上げる方向に移動する。つまり、カップリング１３に入力された駆動力は、アジテータ１４の軸１４Ａによって筐体１１の軸方向の一端側から他端側に伝達されている。
【００３９】
図３に示すように、筐体１１は、軸方向の他端側に、前述した現像電極２０の他、ギヤの一例としてのアジテータギヤ３１と、軸受４０と、ラックギヤ５０と、カバーの一例としてのギヤカバー６０とを備えている。筐体１１、アジテータギヤ３１、ラックギヤ５０およびギヤカバー６０は、非導電性の樹脂からなっている。
【００４０】
現像電極２０および軸受４０は、導電性の材料からなっている。詳しくは、現像電極２０および軸受４０は、導電性樹脂によって形成されている。導電性の樹脂は、例えば、カーボン粉末を含んだポリアセタール樹脂である。
【００４１】
アジテータギヤ３１は、アジテータ１４の軸１４Ａの他端部に支持されている。アジテータギヤ３１は、第１軸Ｘ１に沿う第２軸Ｘ２について回転可能となっている。アジテータギヤ３１は、アジテータ１４の軸１４Ａとともに回転する。つまり、アジテータギヤ３１は、カップリング１３に入力された駆動力によって、現像ローラ１２とともに回転する。
【００４２】
軸受４０は、現像ローラ１２のシャフト１２Ａと、供給ローラ１５のシャフト１５Ａを回転可能に支持するための部材である。軸受４０は、板状部４１と、第１軸受部４２と、第２軸受部４３と、２つの第１ガイド部４４とを有している。
【００４３】
板状部４１は、シャフト１２Ａから軸１４Ａに向かう方向に延びる板状の部位である。詳しくは、板状部４１は、現像ローラ１２のシャフト１２Ａからアジテータギヤ３１に向けて延びている。板状部４１は、軸方向において、筐体１１の軸方向他端側の側壁１１Ａとラックギヤ５０との間に配置されている。
【００４４】
詳しくは、板状部４１は、側壁１１Ａの外面に形成された凹部１１Ｂ内に配置されている。これにより、板状部４１の外面と側壁１１Ａの外面とが略面一となっている（図７参照）。
【００４５】
第１軸受部４２は、現像ローラ１２のシャフト１２Ａを回転可能に支持する円筒状の部位である。第１軸受部４２は、板状部４１から軸方向において筐体１１から離れる方向に突出している。詳しくは、第１軸受部４２は、第２軸受部４３よりも軸方向において筐体１１から離れる方向に突出している。
【００４６】
第２軸受部４３は、供給ローラ１５のシャフト１５Ａを回転可能に支持する円筒状の部位である。第２軸受部４３は、板状部４１から軸方向において筐体１１から離れる方向に突出している。第２軸受部４３は、第１軸受部４２よりもアジテータギヤ３１側に配置されている。
【００４７】
第１ガイド部４４は、ラックギヤ５０を後述する筐体１１の一端Ｅ１０から他端Ｅ２０に向かう方向に移動可能に支持する部分である。第１ガイド部４４は、ラックギヤ５０を挟み込むように１つずつ設けられている。各第１ガイド部４４は、ラックギヤ５０を支持している。各第１ガイド部４４は、板状部４１から軸方向において筐体１１から離れる方向に突出している。各第１ガイド部４４は、板状部４１に直交する板状に形成され、筐体１１の一端Ｅ１０から他端Ｅ２０に向かう方向の幅が軸方向の幅よりも大きい。各第１ガイド部４４は、第２軸受部４３よりもアジテータギヤ３１側に配置されている。
【００４８】
筐体１１は、ラックギヤ５０を筐体１１の一端Ｅ１０から他端Ｅ２０に向かう方向に移動可能に支持する第２ガイド部１１Ｃ、第３ガイド部１１Ｄおよび第４ガイド部１１Ｅを有している。第２ガイド部１１Ｃは、ラックギヤ５０に対して第３ガイド部１１Ｄおよび第４ガイド部１１Ｅの反対側に配置されている。第２ガイド部１１Ｃは、第３ガイド部１１Ｄから第４ガイド部１１Ｅにわたって筐体１１の一端Ｅ１０から他端Ｅ２０に向かう方向に延びている。
【００４９】
第３ガイド部１１Ｄおよび第４ガイド部１１Ｅは、ラックギヤ５０のアジテータギヤ３１と向かい合う面に面している。第３ガイド部１１Ｄは、アジテータギヤ３１に対して現像ローラ１２側に配置されている。第４ガイド部１１Ｅは、筐体１１の一端Ｅ１０から他端Ｅ２０に向かう方向において、アジテータギヤ３１に対して第３ガイド部１１Ｄとは反対側に配置されている。
【００５０】
ラックギヤ５０は、筐体１１の一端Ｅ１０から一端Ｅ１０とは反対の他端Ｅ２０に向かって移動可能となっている。ラックギヤ５０は、本体部５１と、ラックギヤ部５２と、突起の一例としての第１突起５３および第２突起５４と、を有している。本体部５１は、筐体１１の一端Ｅ１０から他端Ｅ２０に向かう方向に長い矩形の板状である。ラックギヤ部５２は、アジテータギヤ３１と噛み合う複数のギヤ歯を有する。本体部５１は、ラックギヤ５０の移動方向に延びている。ラックギヤ部５２および各突起５３，５４は、本体部５１のアジテータギヤ３１と向かい合う面から突出している。ラックギヤ５０は、ラックギヤ部５２がアジテータギヤ３１と噛み合っている間だけ、筐体１１の一端Ｅ１０から他端Ｅ２０に向かって移動するように構成されている。ラックギヤ５０は、ラックギヤ部５２がアジテータギヤ３１から外れたときに、停止するように構成されている。つまり、ラックギヤ５０は、アジテータギヤ３１が回転することで一端Ｅ１０から他端Ｅ２０に向って移動可能となっている。
【００５１】
ラックギヤ部５２は、本体部５１の筐体１１に近い側の端部のうちラックギヤ５０の移動方向の下流側の部分に配置されている。詳しくは、ラックギヤ部５２は、本体部５１の移動方向においてアジテータギヤ３１に近い端部から移動方向の中央部にわたって形成されている（図４参照）。
【００５２】
第１突起５３および第２突起５４は、ラックギヤ５０の移動方向においてラックギヤ部５２とは異なる位置に配置されている。第１突起５３および第２突起５４は、軸方向においてラックギヤ部５２とは異なる位置に配置されている。詳しくは、第１突起５３および第２突起５４は、本体部５１の軸方向においてラックギヤ部５２よりも筐体１１から離れた位置に配置されている。また、第１突起５３および第２突起５４は、ラックギヤ５０の移動方向において、ラックギヤ部５２よりも現像ローラ１２の近くに配置されている。より詳しくは、第１突起５３は、本体部５１の移動方向の中央部付近に配置されている。第２突起５４は、本体部５１の移動方向において現像ローラ１２に近い端部に配置されている。第１突起５３および第２突起５４は、ラックギヤ５０の移動によって、後述するカム７０の第１カム面７３Ａまたは第３カム面７４Ａと接触可能となっている。
【００５３】
ギヤカバー６０は、アジテータギヤ３１やラックギヤ５０を被覆する。図５に示すように、ギヤカバー６０は、カム７０と、現像電極２０と、バネの一例としての圧縮コイルバネＳＰとを被覆している。カム７０は、ラックギヤ５０から力を受けることで軸方向に移動する。カム７０は、非導電性の樹脂からなっている。圧縮コイルバネＳＰは、導電性の材料、詳しくは金属からなっている。
【００５４】
ギヤカバー６０は、ラックギヤ５０およびアジテータギヤ３１を覆う第１カバー部６１と、カム７０および現像電極２０を覆う第２カバー部６２と、圧縮コイルバネＳＰを覆う第３カバー部６３とを有している。第１カバー部６１は、ラックギヤ５０を移動の前後で覆うように、筐体１１の一端Ｅ１０から他端Ｅ２０に向かう方向に長く延びるように形成されている。
【００５５】
第２カバー部６２は、第１カバー部６１の筐体１１の一端Ｅ１０から他端Ｅ２０に向かう方向の略中央部から軸方向において筐体１１から離れる方向に突出している。第２カバー部６２の内部は、第１カバー部６１の内部に連通している。また、第２カバー部６２は、現像電極２０を外部に露出させる開口６２Ａを有している。
【００５６】
第３カバー部６３は、軸方向に貫通する貫通孔６３Ａを有している。圧縮コイルバネＳＰは、貫通孔６３Ａの内部に配置されている。第３カバー部６３は、筐体１１の一端Ｅ１０から他端Ｅ２０に向かう方向において第２カバー部６２と略同じ位置に配置されている。第３カバー部６３は、第１カバー部６１からラックギヤ５０から離れる方向に突出している。貫通孔６３Ａは、現像電極２０に向けて開口している。
【００５７】
なお、本実施形態では、第３カバー部６３の外周面と貫通孔６３Ａの間を肉抜きすることで中空部分を設けているが、本発明はこれに限定されず、第３カバー部６３の外周面と貫通孔６３Ａの間に中空部分を設けなくてもよい。
【００５８】
カム７０は、ギヤカバー６０の第２カバー部６２によって軸方向に移動可能に支持されている。カム７０は、図８（ａ）に示す第１位置と、図８（ｂ）に示す第２位置とに移動可能となっている。第２位置は、軸方向において第１位置よりも筐体１１から離れている。図６に示すように、カム７０は、ベース部７１と、リブ７２と、第１カム部７３と、第３カム部７４と、突出部７５と、２つの第２カム部７６とを有している。
【００５９】
ベース部７１は、ラックギヤ５０とカム７０が向かい合う方向に直交する板状の部位である。ベース部７１は、軸方向の長さが筐体１１の一端Ｅ１０から他端Ｅ２０に向かう方向の幅よりも大きい。リブ７２は、ベース部７１の筐体１１に近い側の端部からラックギヤ５０に向けて突出している。
【００６０】
第１カム部７３および第３カム部７４は、リブ７２と突出部７５との間に配置されている。第１カム部７３および第３カム部７４は、ベース部７１からラックギヤ５０に向けて突出している。
【００６１】
第１カム部７３は、第３カム部７４に対してラックギヤ５０の移動方向において異なる位置に配置されている。詳しくは、第１カム部７３は、第３カム部７４よりもラックギヤ５０の移動方向においてアジテータギヤ３１から離れた位置に配置されている。第１カム部７３は、突出部７５からリブ７２側およびラックギヤ５０の移動方向下流側に向けて斜めに延びている。第１カム部７３は、一端部が突出部７５に接続され、他端部がリブ７２から離れている。第１カム部７３の他端部とリブ７２の間の間隔は、ラックギヤ５０の各突起５３，５４の直径よりも大きい。
【００６２】
第１カム部７３は、ラックギヤ５０の移動方向に対して傾斜する第１カム面７３Ａを有している。第１カム面７３Ａは、カム７０を軸方向において筐体１１から離れる方向に移動させるための面である。第１カム面７３Ａは、カム７０が第１位置に位置するときに、ラックギヤ５０の各突起５３，５４と接触可能となっている。第１カム面７３Ａは、第１突起５３または第２突起５４と接触した状態でラックギヤ５０が一端Ｅ１０から他端Ｅ２０に向かって移動することでカム７０を第２位置に向けて移動させる。言い換えると、第１カム面７３Ａは、突起５３，５４と係合することで第１位置から突起５３，５４の移動軌跡外である第２位置に移動可能となっている。
【００６３】
第１カム面７３Ａは、ラックギヤ５０の移動方向下流側に向かうにつれて軸方向において筐体１１に近づくように傾斜している。詳しくは、第１カム面７３Ａは、第１端部Ｅ１と、軸方向において第１端部Ｅ１よりも筐体１１から離れた位置にある第２端部Ｅ２とを有する。第１カム面７３Ａは、第１端部Ｅ１が第２端部Ｅ２よりもラックギヤ５０の移動方向下流に位置するように傾斜している。
【００６４】
第３カム部７４は、リブ７２の筐体１１の一端Ｅ１０から他端Ｅ２０に向かう方向の略中央から突出部７５側およびラックギヤ５０の移動方向下流側に向けて斜めに延びている。第３カム部７４は、一端部がリブ７２に接続され、他端部が突出部７５から離れている。第３カム部７４の他端部と突出部７５の間の間隔は、ラックギヤ５０の各突起５３，５４の直径よりも大きい。
【００６５】
第３カム部７４は、ラックギヤ５０の移動方向に対して傾斜する第３カム面７４Ａを有している。第３カム面７４Ａは、カム７０を軸方向において筐体１１に近づく方向に移動させるための面である。第３カム面７４Ａは、カム７０が第２位置に位置するときに、ラックギヤ５０の各突起５３，５４と接触可能となっている。言い換えると、第３カム面７４Ａは、カム７０が第２位置に位置するときに突起５３，５４の移動軌跡上に配置されている。第３カム面７４Ａは、第１突起５３または第２突起５４と接触した状態でラックギヤ５０が一端Ｅ１０から他端Ｅ２０に向かって移動することで、カム７０を第２位置から第１位置に向けて移動させる。
【００６６】
第３カム面７４Ａは、ラックギヤ５０の移動方向において第１カム面７３Ａの下流に配置されている。第３カム面７４Ａは、カム７０の移動方向において第１カム面７３Ａとは異なる位置に配置されている。詳しくは、第１カム面７３Ａは、軸方向において第３カム面７４Ａよりも筐体１１から離れた位置に配置されている。
【００６７】
第３カム面７４Ａは、ラックギヤ５０の移動方向下流側に向かうにつれて軸方向において筐体１１から離れるように傾斜している。詳しくは、第３カム面７４Ａは、第３端部Ｅ３と、軸方向において第３端部Ｅ３よりも筐体１１から離れた位置にある第４端部Ｅ４とを有する。第３カム面７４Ａは、第４端部Ｅ４が第３端部Ｅ３よりもラックギヤ５０の移動方向下流に位置するように傾斜している。
【００６８】
突出部７５は、ベース部７１のうち筐体１１から遠い側の部位から現像電極２０に向けて突出している。突出部７５は、ベース部７１のうち筐体１１から遠い側の端部から第１カム部７３にわたって形成されている。突出部７５は、軸方向に貫通する矩形の貫通孔７５Ｂを有している。
【００６９】
各第２カム部７６は、突出部７５の現像電極２０と向かい合う面（以下、「第１面７５Ａ」とも称する。）から現像電極２０に向けて突出している。各第２カム部７６は、互いに軸方向に間隔を空けて配置されている。各第２カム部７６は、突出部７５の軸方向の一端および他端から離れて配置されている。各第２カム部７６は、軸方向に対して傾斜する第２カム面７６Ａと、現像電極２０を支持するための保持面７６Ｂとをそれぞれ有している。
【００７０】
第２カム面７６Ａは、カム７０が第１位置から第２位置に移動するときに、現像電極２０と接触しつつ移動することで、ラックギヤ５０の移動方向およびカム７０の移動方向とは異なる方向において、現像電極２０をカム７０から離れる方向に移動させる面である。第２カム面７６Ａは、第１カム面７３Ａとともに移動可能となっている。第２カム面７６Ａは、軸方向において第１カム面７３Ａよりも筐体１１から離れた位置に配置されている。
【００７１】
第２カム面７６Ａは、軸方向において筐体１１から離れる方向に向かうにつれて第１面７５Ａに近づくように傾斜している。詳しくは、第２カム面７６Ａは、第５端部Ｅ５と、軸方向において第５端部Ｅ５よりも筐体１１から離れた第６端部Ｅ６とを有する。第２カム面７６Ａは、第６端部Ｅ６から第５端部Ｅ５に向かうにつれて現像電極２０に向かって突出するように傾斜している。言い換えると、第２カム面７６Ａは、第６端部Ｅ６から第５端部Ｅ５に向かうにつれて開口６２Ａに向かって突出するように傾斜している。保持面７６Ｂは、第１面７５Ａに沿って延びている。
【００７２】
図５に戻って、現像電極２０は、ギヤカバー６０の第２カバー部６２によって移動可能に支持されている。現像電極２０は、カム７０の第１面７５Ａに設けられている。現像電極２０は、第３位置と、当該第３位置よりもカム７０から遠い第４位置との間を移動可能となっている。現像電極２０は、略直方体状の電極部２１と、電極部２１の後述する第２面２１Ａとは反対側の端部から軸方向において電極部２１から離れる方向に突出する第１フランジ部２２および第２フランジ部２３とを有している。
【００７３】
電極部２１は、第２カバー部６２の開口６２Ａからカム７０から離れる方向に突出するように配置されている（図３参照）。詳しくは、電極部２１の開口６２Ａからの突出量は、現像電極２０が第３位置に位置するときよりも第４位置に位置するときの方が、大きくなっている。
【００７４】
電極部２１のカム７０と向かい合う面と反対側の面（以下、「第２面２１Ａ」とも称する。）は、軸方向に直交する断面において、カム７０から離れる方向に向けて凸となる円弧状の曲面となっている。電極部２１は、カム７０の各第２カム部７６が入り込むことが可能な２つの凹部２４を有している。凹部２４は、電極部２１のカム７０と向かい合う面からカム７０から離れる方向に向けて凹むように形成されている。凹部２４は、第２カム部７６の第２カム面７６Ａに接触する第４カム面２４Ａと、第１面７５Ａに沿って延びる底面２４Ｂとを有している。第４カム面２４Ａは、第２カム面７６Ａに沿って延びている。
【００７５】
電極部２１のカム７０と向かい合う面のうち、２つの凹部２４の間に位置する面は、現像電極２０が第４位置に位置するときにおいて、カム７０の筐体１１に近い側の第２カム部７６によって支持される被支持面２１Ｂとなっている。また、第１フランジ部２２のカム７０と向かい合う面は、現像電極２０が第４位置に位置するときにおいて、カム７０の筐体１１から遠い側の第２カム部７６によって支持される被支持面２２Ａとなっている。なお、現像電極２０が第３位置に位置するときにおいては、現像電極２０のカム７０と向かい合う面（被支持面２１Ｂ，２２Ａを含む面）および各凹部２４の底面２４Ｂのうち少なくとも一方が、カム７０で支持されていればよい。
【００７６】
図７に示すように、圧縮コイルバネＳＰは、軸方向において、現像電極２０の電極部２１と軸受４０の板状部４１との間に配置されている。詳しくは、圧縮コイルバネＳＰの一端は、現像電極２０の電極部２１と接触し、圧縮コイルバネＳＰの一端とは反対の他端は、軸受４０の板状部４１と接触している。これにより、現像電極２０が、圧縮コイルバネＳＰおよび軸受４０を介して現像ローラ１２および供給ローラ１５に電気的に接続されている。
【００７７】
より詳しくは、圧縮コイルバネＳＰは、電極部２１の筐体１１に近い側の面に接触している。これにより、圧縮コイルバネＳＰは、現像電極２０が第３位置に位置するとき、現像電極２０が第３位置から第４位置に移動するとき、および、現像電極２０が第４位置に位置するときにおいて、電極部２１に接触している。つまり、現像電極２０は、圧縮コイルバネＳＰと接触した状態で移動可能となっている。
【００７８】
圧縮コイルバネＳＰは、圧縮コイルバネＳＰの一端が現像電極２０と接触し、かつ、圧縮コイルバネＳＰの他端が軸受４０と接触した状態において、自然長よりも短くなっている。また、圧縮コイルバネＳＰは、ラックギヤ５０に対してカム７０とは反対側に配置されている。圧縮コイルバネＳＰは、筐体１１の一端Ｅ１０から他端Ｅ２０に向かう方向において、第１ガイド部４４と第２ガイド部１１Ｃとの間に配置されている。
【００７９】
次に、現像カートリッジ１を構成する各部材の作用効果について詳細に説明する。なお、現像カートリッジ１が新品状態である場合には、ラックギヤ５０が最も筐体１１の一端Ｅ１０に近い位置に位置し、カム７０が最も筐体１１側の位置に位置することで、現像電極２０が第３位置に位置している。
【００８０】
図２に示すように、新品状態の現像カートリッジ１を本体筐体に装着すると、現像電極２０の第２面２１ＡがアクチュエータＡＣに設けられた電極に当接する。これにより、画像形成装置の電源からアクチュエータＡＣの電極を介して現像電極２０に現像バイアスが供給される。
【００８１】
その後、本体筐体の駆動源から現像カートリッジ１のカップリング１３に駆動力を入力すると、その駆動力がカップリング１３およびギヤ機構を介してアジテータ１４の軸１４Ａに伝達される。アジテータ１４の軸１４Ａに伝達された駆動力は、図７に示すように、アジテータギヤ３１に伝達される。
【００８２】
駆動力が伝達されたアジテータギヤ３１が回転すると、ラックギヤ５０が筐体１１の一端Ｅ１０から他端Ｅ２０に向けて移動する。ラックギヤ５０の移動によって、図８（ａ），（ｂ）の順で示すように、ラックギヤ５０の第１突起５３が、カム７０の第１カム面７３Ａに当接して当該第１カム面７３Ａを押圧すると、カム７０が軸方向において筐体１１から離れる方向に移動する。なお、図８において、ドットのハッチングで示す部分は、アジテータギヤ３１のうちラックギヤ部５２と噛み合うことが可能な部分を示している。
【００８３】
カム７０が軸方向において筐体１１から離れる方向に移動すると、図９（ａ），（ｂ）の順で示すように、カム７０の各第２カム面７６Ａによって現像電極２０が押し上げられて、現像電極２０が第３位置から第４位置に移動する。つまり、現像電極２０は、軸方向において筐体１１から離れる方向に移動するカム７０から力を受けることで、カム７０から離れる方向に移動する。
【００８４】
現像電極２０が第４位置へ移動すると、アクチュエータＡＣは、現像電極２０で押し上げられて変位する。つまり、カム７０が、アクチュエータＡＣに対して、現像電極２０を介して力を加えることで、アクチュエータＡＣを一方向へ変位させる。これにより、光センサは、アクチュエータＡＣの一方向への変位を検出する。制御装置は、光センサがアクチュエータＡＣの変位を検出することで、現像カートリッジ１が新品であることを判断することができる。
【００８５】
図８（ｂ），（ｃ）の順で示すように、ラックギヤ５０がさらに筐体１１の一端Ｅ１０から他端Ｅ２０に向う方向に移動すると、ラックギヤ５０の第１突起５３がカム７０の第３カム面７４Ａを押圧するので、カム７０が軸方向において筐体１１に近づく方向に移動する。これにより、図９（ｂ），（ａ）の順で示すように、カム７０の各保持面７６Ｂが、現像電極２０の各被支持面２１Ｂ，２２Ａから外れて、現像電極２０が第４位置から第３位置に移動する。なお、現像電極２０の第３位置への移動は、重力によって行われてもよいし、アクチュエータＡＣを付勢するバネによって行われてもよい。
【００８６】
その後、図８（ｃ），（ｄ）の順で示すように、ラックギヤ５０がさらに筐体１１の一端Ｅ１０から他端Ｅ２０に向う方向に移動すると、ラックギヤ５０の第２突起５４が、カム７０の各カム面７３Ａ，７４Ａを順次押圧することで、カム７０が軸方向において筐体１１から離れる方向に移動した後、軸方向において筐体１１に近づく方向に移動する。これにより、現像電極２０が再度第４位置まで移動した後、第３位置に戻ることで、光センサは、アクチュエータＡＣの一方向への変位を検出する。つまり、この形態では、新品状態の現像カートリッジ１を本体筐体に装着してから光センサは、アクチュエータの一方向への変位を２回検出する。これは、ラックギヤ５０に設ける突起５３，５４の数に対応している。例えば突起を１つだけ設ける場合には、光センサが検出するアクチュエータの一方向への変位の回数は１回となる。そのため、ラックギヤ５０に設ける突起の数を、現像カートリッジ１の仕様（例えば、トナーの収容量の違い）に応じて設定することで、制御装置は、現像カートリッジ１の仕様も検知することができる。
【００８７】
図８（ｄ）に示すように、第２突起５４が第３カム面７４Ａから外れると、その後、ラックギヤ５０がアジテータギヤ３１から外れる。これにより、アジテータギヤ３１からラックギヤ５０への駆動力の伝達が切れて、現像電極２０は第３位置のまま保持される。
【００８８】
以上によれば、本実施形態において以下のような効果を得ることができる。
ラックギヤ５０が筐体１１の一端Ｅ１０から他端Ｅ２０に向う方向に移動することで、ラックギヤ５０とアジテータギヤ３１との噛み合いを外すことができる。
【００８９】
現像電極２０が導電性樹脂によって形成されているので、現像電極２０の形状を容易に形成することができる。
【００９０】
なお、本発明は第１の実施形態に限定されることなく、以下に例示するように様々な形態で利用できる。以下の説明においては、前記実施形態と略同様の構造となる部材には同一の符号を付し、その説明は省略する。
【００９１】
［第２の実施形態］
図１０に示すように、第２の実施形態では、第１の実施形態において別部品として構成したバネ（圧縮コイルバネＳＰ）と現像電極２０とを一体に構成している。具体的には、第２の実施形態では、第１の実施形態と同様の筐体１１、アジテータギヤ３１および軸受４０を備える他、第１の実施形態とは異なるラックギヤ１５０、カム１７０およびバネ電極８０とを備えている。図１１（ａ）に示すように、カム１７０は、第１の実施形態と同様のベース部７１および突出部７５を有する他、第１の実施形態にはない突起７７およびバネ支持部７８を有している。
【００９２】
突起７７は、ベース部７１の筐体１１に近い側の端部からバネ電極８０に向けて突出している。突起７７は、半円柱状に形成されている。突起７７の筐体１１から遠い側の面は、軸方向において筐体１１から離れる方向に向けて凸となる円弧状の曲面となっている。
【００９３】
バネ支持部７８は、突出部７５の第１面７５Ａからバネ電極８０に向けて突出している。バネ支持部７８のバネ電極８０と向かい合う面は、ベース部７１に沿って延びる第１平面７８Ａおよび第２平面７８Ｂと、第１平面７８Ａと第２平面７８Ｂとを繋ぐ傾斜面７８Ｃとを有している。第１平面７８Ａは、第２平面７８Ｂよりもベース部７１から遠い位置に配置されている。第１平面７８Ａは、第２平面７８Ｂよりも筐体１１側に配置されている。傾斜面７８Ｃは、第１平面７８Ａの筐体１１から遠い側の端縁から軸方向において筐体１１から離れる方向に向かうにつれてベース部７１に近づくように傾斜して、第２平面７８Ｂの筐体１１に近い側の端縁に繋がっている。
【００９４】
各面７８Ａ〜７８Ｃの筐体１１の一端Ｅ１０から他端Ｅ２０に向かう方向の中央部には、ベース部７１に向かって凹む凹部７８Ｄが形成されている。凹部７８Ｄは、第１平面７８Ａの筐体１１に近い側の端縁から第２平面７８Ｂの筐体１１から遠い側の端縁にわたって連続して形成されている。また、バネ支持部７８の筐体１１に近い側の側面７８Ｅには、当該側面７８Ｅから突出する係合爪７８Ｆが形成されている。
【００９５】
ギヤカバー６０の第３カバー部６３の貫通孔６３Ａは、バネ電極８０に対応した大きさに形成されている。
【００９６】
バネ電極８０は、導電性の材料からなっている。バネ電極８０は、現像ローラ１２と電気的に接続されている。バネ電極８０は、カム１７０とともに移動可能となっている。バネ電極８０は、バネ支持部７８の形状に倣った形状の現像電極８１と、現像電極８１に一体に形成されるバネ８２とを有している。現像電極８１は、ベース部７１に沿って延びる第１板状部８１Ａおよび第２板状部８１Ｂと、第１板状部８１Ａと第２板状部８１Ｂとを繋ぐ第３板状部８１Ｃと、第１板状部８１Ａの筐体１１に近い側の端部からベース部７１に向かって延びる第４板状部８１Ｄと、第２板状部８１Ｂの筐体１１から遠い側の端部からベース部７１に向かって延びる第５板状部８１Ｅとを有している。
【００９７】
第１板状部８１Ａ、第２板状部８１Ｂおよび第３板状部８１Ｃは、バネ支持部７８の凹部７８Ｄに入って、凹部７８Ｄの底面で支持されている。各板状部８１Ａ〜８１Ｃが凹部７８Ｄの底面で支持された状態において、各板状部８１Ａ〜８１Ｃのカム１７０と反対側の面は、バネ支持部７８のベース部７１とは反対側の面と面一またはバネ支持部７８のベース部７１とは反対側の面よりもベース部７１から遠い位置に位置している。そして、軸方向に対して傾斜した第３板状部８１Ｃのカム１７０と反対側の面は、第２カム面８１Ｇとなっている。
【００９８】
第２カム面８１Ｇは、第５端部Ｅ５と、軸方向において第５端部Ｅ５よりも筐体１１から離れた第６端部Ｅ６とを有する。第２カム面８１Ｇは、第６端部Ｅ６から第５端部Ｅ５に向かうにつれて開口６２Ａに向かって突出するように傾斜している。
【００９９】
第４板状部８１Ｄと第５板状部８１Ｅは、バネ支持部７８を軸方向に挟み込んでいる。また、第４板状部８１Ｄには、バネ支持部７８の係合爪７８Ｆに係合する係合孔８１Ｆが形成されている。
【０１００】
バネ８２は、第１板状部８１Ａに沿って延びる平板状部８２Ａと、カム１７０とは反対側に向けて凸となるように湾曲した第１湾曲部８２Ｂと、筐体１１に向けて凸となるように湾曲した第２湾曲部８２Ｃとを有している。平板状部８２Ａは、第４板状部８１Ｄのカム１７０側の端部から筐体１１に向けて延びている。第１湾曲部８２Ｂは、平板状部８２Ａの筐体１１に近い側の端部に接続されている。第２湾曲部８２Ｃは、第１湾曲部８２Ｂの筐体１１に近い側の端部からカム１７０とは反対側に向けて延びている。
【０１０１】
バネ８２は、図１３（ａ）に示すように、バネ支持部７８の側面７８Ｅと軸受４０との間に配置されている。バネ８２の筐体１１に近い側の端部は、軸受４０と接触している。バネ８２は、カム１７０が初期位置（図１３（ａ）の位置）に位置する状態において、カム１７０を軸方向において筐体１１から離れる方向に付勢している。つまり、バネ８２は、カム１７０を第１位置から第２位置に向けて付勢している。
【０１０２】
図１１（ｂ）に示すように、ラックギヤ１５０は、第１の実施形態と同様の本体部５１およびラックギヤ部５２を有する他、第１の実施形態にはないカム部５５を有した構造となっている。カム部５５は、本体部５１の筐体１１から遠い側の端部のうちラックギヤ１５０の移動方向の上流側の部分に配置されている。なお、以下の説明では、「ラックギヤの移動方向上流側または移動方向下流側」を、単に「上流側」、「下流側」とも称する。
【０１０３】
カム部５５は、本体部５１から突出している。カム部５５の筐体１１に近い側の面は、軸方向に直交する平面状の第１保持面５５Ａ、第２保持面５５Ｂおよび第３保持面５５Ｃと、第１保持面５５Ａと第２保持面５５Ｂとを連結する連結面５５Ｄと、第２保持面５５Ｂと第３保持面５５Ｃとを連結するカム面５５Ｅとを有している。
【０１０４】
第１保持面５５Ａおよび第３保持面５５Ｃは、軸方向において同じ位置に配置されている。第１保持面５５Ａは、第３保持面５５Ｃよりも下流側に配置されている。第１保持面５５Ａおよび第３保持面５５Ｃは、突起７７と接触してカム１７０を第１位置に保持する。
【０１０５】
第２保持面５５Ｂは、ラックギヤ１５０の移動方向において、第１保持面５５Ａと第３保持面５５Ｃとの間に配置されている。第２保持面５５Ｂは、第１保持面５５Ａよりも筐体１１から離れた位置に配置されている（図１２（ａ）参照）。第２保持面５５Ｂは、突起７７と接触してカム１７０を第２位置に保持する。
【０１０６】
連結面５５Ｄは、第１保持面５５Ａの上流側の端縁から上流側に向かうにつれて軸方向において筐体１１から離れる方向に位置するように傾斜して、第２保持面５５Ｂの下流側の端縁に繋がっている。カム面５５Ｅは、ラックギヤ５０の移動方向に対して傾斜している。詳しくは、カム面５５Ｅは、第２保持面５５Ｂの上流側の端縁から上流側に向かうにつれて筐体１１に近づくように傾斜して、第３保持面５５Ｃの下流側の端縁に繋がっている。
【０１０７】
この形態では、図１２（ａ）に示すように、現像カートリッジ１が新品状態であるときには、カム１７０の突起７７がラックギヤ１５０の第１保持面５５Ａで支持されることで、カム１７０が初期位置に位置する。詳しくは、バネ電極８０からカム１７０に加わる付勢力が、第１保持面５５Ａによって受け止められている。
【０１０８】
カム１７０が初期位置に位置している状態において、現像カートリッジ１を本体筐体に装着すると、図１３（ａ）に示すように、カム１７０で支持されたバネ電極８０の第２板状部８１ＢによってアクチュエータＡＣが押される。これにより、アクチュエータＡＣが第１姿勢から第２姿勢に揺動する。光センサは、アクチュエータＡＣの変位を検出する。この際、アクチュエータＡＣが有する電極とバネ電極８０とが、電気的に接続される。
【０１０９】
その後、図１２（ａ），（ｂ）の順で示すように、アジテータギヤ３１に駆動力が伝達されると、ラックギヤ１５０が筐体１１の一端Ｅ１０から他端Ｅ２０に向けて移動する。ラックギヤ１５０の移動によって、第１保持面５５Ａから突起７７から外れると、カム１７０がバネ電極８０の付勢力によって軸方向において筐体１１から離れる方向に移動する。その後、突起７７が第２保持面５５Ｂに当接すると、カム１７０の移動が止められて、カム１７０が初期位置よりも筐体１１から離れた外側位置に位置する。
【０１１０】
カム１７０が初期位置から外側位置へ移動する間において、図１３（ｂ）に示すように、アクチュエータＡＣは、カム１７０で支持されたバネ電極８０の傾斜した第３板状部８１Ｃによって押される。これにより、アクチュエータＡＣが第２姿勢から第３姿勢に揺動して、光センサがアクチュエータＡＣの変位を検出する。
【０１１１】
その後、図１２（ｂ），（ｃ）の順で示すように、ラックギヤ１５０がさらに筐体１１の一端Ｅ１０から他端Ｅ２０に向けて移動すると、ラックギヤ１５０のカム面５５Ｅによって突起７７が軸方向において筐体１１に近づく方向に付勢力に抗して押されることで、カム１７０が外側位置から初期位置に戻る。これにより、図１３（ａ）に示すように、アクチュエータＡＣが第３姿勢から第２姿勢に揺動して、光センサがアクチュエータＡＣの変位を検出する。
【０１１２】
以上、第２の実施形態では、第１の実施形態と同様に、ラックギヤ１５０が筐体１１の一端Ｅ１０から他端Ｅ２０に向う方向に移動することで、ラックギヤ１５０とアジテータギヤ３１との噛み合いを外すことができる。また、第２の実施形態では、バネ８２と現像電極８１を１つの部品（バネ電極８０）として構成したので、部品点数を少なくすることができる。なお、バネと現像電極は、それぞれ別部品であってもよい。また、別部品としたバネは、コイルバネや線バネなどであってもよい。
【０１１３】
第１の実施形態では、現像電極２０に第４カム面２４Ａを設け、カム７０に第２カム面７６Ａを設けたが、本発明はこれに限定されず、例えば、現像電極に、カムの第２カム面に係合する突起を設けてもよい。
【０１１４】
第１の実施形態では、ギヤカバー６０でラックギヤ５０の全体を被覆したが、本発明はこれに限定されず、ギヤカバーは、ラックギヤの一部を被覆し、他部を外部に露出させていてもよい。
【０１１５】
前記実施形態では、ギヤの一例としてアジテータギヤ３１を例示したが、本発明はこれに限定されず、その他のギヤであってもよい。
【０１１６】
前記実施形態では、バネとして圧縮コイルバネＳＰや板バネＳＰ２などを例示したが、本発明はこれに限定されず、例えば、線バネやトーションバネなどであってもよい。
【０１１７】
第１の実施形態では、カム７０をギヤカバー６０で移動可能に支持したが、本発明はこれに限定されず、カムを筐体で移動可能に支持してもよい。
【０１１８】
また、前記した実施形態および変形例で説明した各要素を、任意に組み合わせて実施してもよい。
【符号の説明】
【０１１９】
１      現像カートリッジ
１１    筐体
１２    現像ローラ
２０    現像電極
３１    アジテータギヤ
５０    ラックギヤ
５３，５４  突起
７０    カム
７３Ａ  第１カム面
７６Ａ  第２カム面
【図１】
2018109655.tif 000003
【図２】
2018109655.tif 000004
【図３】
2018109655.tif 000005
【図４】
2018109655.tif 000006
【図５】
2018109655.tif 000007
【図６】
2018109655.tif 000008
【図７】
2018109655.tif 000009
【図８】
2018109655.tif 000010
【図９】
2018109655.tif 000011
【図１０】
2018109655.tif 000012
【図１１】
2018109655.tif 000013
【図１２】
2018109655.tif 000014
【図１３】
2018109655.tif 000015